(57)【特許請求の範囲】
【請求項１】
扉等の中に装着されるロックケーシング（１）にして、ボルト（７）と、扉の少なくとも一方の側から鍵操作ロック機構を用いて回転可能な従動手段１２を装着される操作軸Ａと、従動手段をボルト（７）に力伝達連結させる力伝達手段（１３，１５，１６，１８，２１）とを備えた箱状のロックハウス（５）を有するロックケーシングにおいて、前記操作軸Ａが、前記ロックハウスの前面板（６）からの距離が調節可能であるようにロックケーシング（１）に別個に固定される独立従動ユニット（２）に配置されており、１個または１個以上の調整要素（３ａ，３ｂ）が、前記距離を調整するために、前記前面板（６）と従動ユニット（２）との間に装着されることを特徴とするロックケーシング。
【請求項２】
請求項１に記載のロックケーシングにおいて、前記従動ユニット（２）がスクリュウ（４）を用いて前記前面板に固定されていることを特徴とするロックケーシング。
【請求項３】
請求項２に記載のロックケーシングにおいて、前記調整要素（３ａ，３ｂ）を固定するために、前記スクリュウ（４）用の孔（３ａ’，３ｂ’）が設けられていることを特徴とするロックケーシング。
【請求項４】
請求項１〜３のいずれか１項に記載のロックケーシングにおいて、前記従動ユニット（２）が力伝達要素（１３）を有し、該力伝達要素が前記従動手段（１２）により動かされ、従動ユニット（２）がロックケーシング（１）に固定されたとき、ロックケーシング内に置かれた第１力伝達要素（１５）と、これら力伝達要素の力伝達面（１３ａ，１５ａ’）を通り協働しており、該力伝達面の寸法が従動ユニットの調整方向において、所望の調整の全領域において互いに力伝達係合状態に留まるようになっていることを特徴とするロックケーシング。
【請求項５】
請求項４に記載のロックケーシングにおいて、前記従動ユニット（２）が箱状であり、該ユニット内に置かれた力伝達要素（１３）の動きを前面板（６）の方向に案内する案内面（２ａ，１０ｂ）を備えていることを特徴とするロックケーシング。
【請求項６】
請求項１〜５のいずれか１項に記載のロックケーシングにおいて、前記従動ユニット（２）が、従動ユニット（２）を操作軸（Ａ）の方向に支持するために部分的にロックハウス（５，５ａ）内部に装着されるように配置されていることを特徴とするロックケーシング。
【請求項７】
請求項１〜６のいずれか１項に記載のロックケーシングにおいて、前記従動ユニット（２）とロックハウス（５）とが、従動ユニット（２）を前面板（６）の長手方向に支持するために互いに協働する案内部材または案内面（１１，５ｂ）を備えていることを特徴とするロックケーシング。
【請求項８】
請求項１〜７のいずれか１項に記載のロックケーシングにして、デッドロックが解除されたとき、扉を開閉するためにロックケーシング（１）内へ押し込められるデッドロック用掛け金ボルト（７）と、デッドロックさせるため力伝達手段（１６，１８，２１）に作用するソレノイド手段（２３）とを備えたロックケーシングにおいて、ロックケーシング（１）内に置かれた前記力伝達手段（１６，１８，２１）が第２力伝達要素（１６）を含み、該第２力伝達要素（１６）に、前記ソレノイド手段（２３）と第１力伝達要素（１５）との両方が互いに独立に作用するようになっていることを特徴とするロックケーシング。
【発明の詳細な説明】
【０００１】
【発明の属する技術分野】
本発明は、請求項１の前文に記載されたような扉等の中に装着されるロックケーシングに関する。
【０００２】
【従来の技術】
ロック操作装置の位置を決める、ロックの前面板から操作軸までの距離は、ロックさるべき種々の場所に応じて相当変化する。従って、多くの違ったロックケーシングが必要になる。同様なことが、ロックケーシング内に置かれた力伝達手段の操作と形状とに影響を与える種々のロック標準に合った鍵操作ロック機構、ロックシリンダーを使用する場合にも起こる。従って、必要になる違ったロックケーシングの数は全体として大きくなり、製造コストと、貯蔵を要する品目の数すなわち在庫数とを増大させる。
【０００３】
【発明が解決しようとする課題】
本発明の目的は、上記のような欠点を有利に解消するロックケーシングに対する新しい解決を提供することである。本発明の他の目的は、特許公報ＧＢ−Ａ−２２０３７９４に開示されたソレノイド式デッドロック手段を備えたボルト操作に対応する操作原理を有するロックケーシングに適用される上記種類の解決を提供することである。
【０００４】
【課題を解決するための手段】
本発明の目的は、請求項１および他の請求項に開示されたようにして達成される。本発明に従えば、操作軸の前面板からの距離が調整可能なように、別個にロックケーシングに固定された独立従動ユニットに操作軸が配置されている。かくて、一つの基本的ロックケーシングを、場合に応じて所望の要求を満たすように使用することが可能になる。さらに、前面板からの従動ユニットの距離が調整可能なときは、該距離を必要に応じて変化させるだけで、種々のロック標準に合う鍵操作ロックシリンダーまたはロック機構が、それ自身の従動ユニットと共に使用可能である。
【０００５】
実際には、前記距離の調整は必要に応じて、１個または１個以上の調整要素を前面板と従動ユニットとの間に挿入することにより有利に実行される。この場合、従動ユニットはスクリュウにより前面板に有利に固定され、該スクリュウはまた調整要素を固定するのに利用されている。この目的のため、調整要素はスクリュウ用の孔を備えている。
【０００６】
本発明の有利な実施例において従動ユニットは、従動手段により動かされる力伝達要素を備え、該力伝達要素は従動ユニットにより動かされ、従動ユニットがロックケーシングに取り付けられたとき、ロックケーシング内の第１力伝達要素と、これら力伝達要素の力伝達面を介して協働しており、該力伝達面が従動ユニットの調整方向において、所望の調整の全領域において互いに力伝達係合を続けるような寸法になっている。
従動ユニットは有利に箱状をなしており、その内面が内部におかれた力伝達要素の動きを前面板の方向に案内する案内面の役をしている。
【０００７】
従動ユニットをロックケーシングに確実に固定するため、従動ユニットは部分的にロックハウスの内部に装着され、従動ユニットを操作軸の方向に支持している。さらに、従動ユニットとロックハウスとは、従動ユニットを前面板の長手方向に支持するため互いに協働する案内部材または案内面を備えている。
【０００８】
本発明は、デッドロックが解除されたとき、扉を開閉させるためロックケーシング内へと押し込まれるデッドロック用掛け金ボルトと、デッドロックのため力伝達手段に作用するソレノイド手段とを備えたロックケーシングに有利に適用される。この場合、ロックケーシング内に置かれた力伝達手段が第２力伝達要素を含み、該力伝達要素に、ソレノイド手段と第１力伝達要素が共に互いに独立して作用している。
【０００９】
【発明の実施の形態】
以下、付図を参照し実施例を用いて本発明を詳細に説明する。
図１はロックケーシング１を示し、該ケーシングは扉等の中にに装着され、直接または、スクリュウ４用の孔３ａ’，３ｂ’を有する１個または１個以上の調整要素３ａおよび／または３ｂを使用して、スクリュウ４により独立従動ユニット２が取り付けられている。違った厚みをもつ２種類のタイプの調整要素３ａ、３ｂを用いることにより、種々の使用場所における要求に応じて、ロックケーシングを充分な正確さを有して装着することが実際上可能になる。
【００１０】
ロックケーシング１は、前面板６、ボルト７、補助ボルト８、デッドロック手段、後述する多数の力伝達手段を備えている。ボルト７と補助ボルト８とは、バネ２２、２６によりロックケーシング１の外部へと突出する位置へと押し付けられている。ボルト７は両面にベベル面を有するタイプのものであり、デッドロック手段が解放位置にあるとき、バネ２２に抗して扉フレイム内の押し板（図示せず）を押して、扉開閉のためにその突出位置からロックケーシング内へと押され得るようになっている。この部分に関しては、本出願に参照文献として編入されている前記公報ＧＢ−Ａ−２２０３７９４を参照されたい。
【００１１】
ロックケーシング１は、蓋板を大幅に切除されて図示されている箱状のロックハウス５を有する。従動ユニット２も箱状であり、一緒に取り付けられる蓋部はスクリュウ９を用いて互いに固定されている。図６〜８において、従動ユニット２が上蓋を除去して示されている。従動ユニット２は、スクリュウねじを切られたスクリュウ孔をもつ固定板部材を備え、スクリュウ４を用いて前面板６に固定される。固定部材１０はＬ字形に曲げられ、従動ユニット２のハウジングの一部を構成し、同時に、ユニット内に置かれた力伝達部材を保護している。装着されたとき、従動ユニット２はさらに、ロックハウス５の内面５ａと案内縁５ｂにより案内されており、該案内縁は従動ユニット２内の案内縁１１と協働している。案内縁１１は例えば、製作時に従動ユニットの蓋部にプレスされた形態であっても、蓋部に固定された別個の板の縁であってもよい。
【００１２】
従動ユニット２は操作軸Ａを有し、該軸に、鍵操作ロック機構（図示せず）を用いて扉の少なくとも一方の側から回転される従動手段１２が装着されている。扉の他の側には例えば回転ノブが使用されている。操作装置が扉の両側にある場合には、別個の従動手段１２がそれぞれ操作軸Ａに装着される必要がある。図示の構造においては、回転は、従動手段のいずれか一つ１２ａに働く捩れ板のような既知の手段により実行される。
【００１３】
従動ユニット２はまた力伝達要素１３を有し、該要素に、従動手段１２の回転運動が力伝達面１２ｂを通して伝達され、それにより、力伝達要素１３が固定部材１０の内面１０ｂとユニットのハウジング内の内面２ａにより導かれて図で見て下方に動く。その結果、力伝達要素１３が力伝達面１３ａを介して、ロックケーシング内の結合ピン１４に支持された力伝達要素１５を、該要素の突出部１５ａ上の対応面１５ａ’を通り回転させる。力伝達面１３ａは、数個の調整要素３ａおよび／または３ｂが使用された場合にも、突出部１５ａに力が伝達され得る寸法になっている。
【００１４】
力伝達要素１５の回転運動は、その第２突出部１５ｂを介して第２力伝達要素１６上に突出部１６ａを通り作用する。力伝達要素１６は、ピン１７に回転可能に支持され、さらに、ピン１９に回転可能に支持されたデッドロックレバー１８をバネ２０の力に抗して図８に示すデッドロック位置から、図１、６、７に示すデッドロック解除位置へと回転させる突出部１６ｂを有している。かくて、デッドロックレバー１８はバネ２０によりデッドロック位置に押し付けられ、そこで球状のデッドロック部材２１と共にボルトのデッドロック面７ａ上に作用し、ボルト７のロックケーシング内への動きを阻止する。同時に、デッドロックレバー１８が、デッドロック部材２１のボルト解放位置への動きを阻止している。
【００１５】
図示の実施例においては、ロックケーシング１はまた、電流がソレノイドにスイッチオンされたとき、バネ２５の力に抗して動く作用部材２４を備えたソレノイド手段２３を有している。その際、デッドロック手段１８、２１がそのデッドロック位置から離れるように動き、扉が開閉可能になる。電流がスイッチオフされると、バネ２５がバネ２０と共に、作用部材２４と力伝達要素１６の両方を図８の位置へと押し、デッドロック手段１８と２１とがそのデッドロック位置に来る。デッドロックの解除はこのように、操作軸Ａを介して手動で、または、ソレノイド手段２３を使用して電気的に、別個に行うことが出来る。
【００１６】
通常は、扉が閉められるとき、扉フレイム内に配置されたロックのための衝接板（ｓｔｒｉｋｉｎｇ  ｐｌａｔｅ）（図示せず）が、補助ボルト８がロックケーシングから突出した位置へ動くことを阻止している、すなわち、図１、６、８に示す状態に相当している。図７の場合には、補助ボルト８がバネ２６により押された突出位置にあり、扉が明けられている。この位置において、補助ボルト８の案内面８ａが力伝達要素１５を突出部１５ｂを介して図７の位置に押し込み、この位置は作用的には図６の位置に相当し、デッドロック手段１８、２１が上述したデッドロック位置へ動くことを阻止している。扉は押すだけで閉じられる。補助ボルト８が上述した作用を行うためには、バネ２６の力がバネ２５、２０の共通な力よりも大きいことが必要である。
【００１７】
図８から明らかなように、デッドロックは、デッドロックレバー１８が力伝達要素１６に配置された支持部材１６ｃの背後に延びるように位置されて実行され固定され、デッドロックは、手動により操作軸Ａを操作するか、または、ソレノイド手段２３を用いて、力伝達要素１６が回転された場合にだけ解除される。
【００１８】
図６〜８において、操作軸Ａの前面板６からの距離が幾つか例示されており、本発明の従動ユニット２装着の調整可能性を示している。問題の調節可能性は図示の掛け金ボルト構造には本来全く依存しておらず、図示の構造は本発明の有利な適用の１例を示すに過ぎない。
【００１９】
従って、違ったロック標準を満たす操作装置を操作軸Ａに装着しようとするときは、本発明に従えば、例えば、問題の標準に関して要求される従動手段１２、他の力伝達部材および寸法を備えた適切な従動ユニットを各ケースに応じて選択することが可能である。しかし本発明はまた、数種の違った従動ユニット２を同じ基本ロックケーシング１に装着することを可能にしている。勿論、本発明を利用して、多くのロックケーシング１と、そこに装着される種々の従動ユニットを有し、種々の目的に使用され種々のロック標準を満足するシステムを創造することも可能である。
【００２０】
ソレノイド手段の作動方向、すなわち、押しソレノイドか引きソレノイドかは、必要に応じて選択されよう。操作方向が図示の実施例と異なる場合には、勿論、残りの力伝達手段の動作に関し考慮を払う必要がある。
本発明は図示の実施例に限定されるものではなく、添付の特許請求の範囲の趣旨から逸脱することなく多くの変形が可能である。
【図面の簡単な説明】
【図１】本発明のロックケーシング構造の１実施例の側面図。ロックケーシングのロックハウスは開かれている。
【図２】基本成分である従動ユニットの正面図。
【図３】図１ｂのユニットの左側面図。
【図４】調整手段の一つの側面図。
【図５】調整手段の他の一つの側面図。
【図６】図４、５に示した調整手段を含まない基本形態に組み立てられ、デッドロック手段が解放位置にある図１のロックケーシングの側面図。
【図７】１個の調整手段を有して組み立てられ、補助ボルトが突出位置にあり、デッドロック手段が解放位置にある図１のロックケーシングの側面図。
【図８】４個の独立した調整手段を有して組み立てられ、デッドロック手段がデッドロック位置にある図１のロックケーシングの側面図。
【符号の説明】
１  ロックケーシング
２  従動ユニット
３  調整要素
５  ロックハウス
７  掛け金ボルト
８  補助ボルト
１０  固定部材
１２  従動手段
１３、１５、１６  力伝達要素
１８  デッドロックレバー
２１  球状デッドロック部材
２３  ソレノイド手段
２４  作用部材
Ａ  操作軸
【図１】
0004220043.tif 000002
【図２】
0004220043.tif 000003
【図３】
0004220043.tif 000004
【図４】
0004220043.tif 000005
【図５】
0004220043.tif 000006
【図６】
0004220043.tif 000007
【図７】
0004220043.tif 000008
【図８】
0004220043.tif 000009